(57)【要約】【課題】紫外線照射装置の紫外線照射面を覆うシャッターを移動するためにのみ用いる専用のモーターを設けることなく、紫外線照射装置の紫外線照射面を覆うシャッターの移動を行う。【解決手段】紫外線照射装置の紫外線照射面を被覆する遮蔽面と第１の係合部とを備え、紫外線照射面に対して移動自在に配設されたシャッターと、インクヘッドのインクジェットノズルを形成したインクジェットノズル面をワイピングするワイパーブレードを保持するとともに第２の係合部を設けたワイパーブレード保持部材を備え、ワイパーブレード保持部材を移動することによりインクヘッドのインクジェットノズル面をワイパーブレードでワイピングするワイパー装置とを有し、シャッターの第１の係合部とワイパーブレード保持部材の第２の係合部とを係合し、ワイパー装置によるワイパーブレード保持部材の移動によりシャッターを移動する。【選択図】        図４
2018094833.tif 000002
【特許請求の範囲】
【請求項１】
インクヘッドとともに移動し、かつ、メディアに対して紫外線照射面から紫外線を照射する紫外線照射装置と、
前記紫外線照射面の少なくとも一部を被覆する遮蔽面と第１の係合部とを備え、前記紫外線照射面に対して移動自在に配設されたシャッターと、
前記インクヘッドのインクジェットノズルを形成したインクジェットノズル面をワイピングするワイパーブレードを保持するとともに第２の係合部を設けたワイパーブレード保持部材を備え、前記ワイパーブレード保持部材を移動することにより前記インクヘッドの前記インクジェットノズル面を前記ワイパーブレードでワイピングするワイパー装置と
を有し、
前記シャッターの前記第１の係合部と前記ワイパーブレード保持部材の前記第２の係合部とを係合し、前記ワイパー装置による前記ワイパーブレード保持部材の移動により前記シャッターを移動する
ことを特徴とするインクジェットプリンタ。
【請求項２】
前記シャッターは、前記紫外線照射面をワイピングするワイパーブレードを備える
ことを特徴とする請求項１に記載のインクジェットプリンタ。
【請求項３】
メディアに対して紫外線硬化インクを吐出するインクジェットノズルを形成したインクヘッドのインクジェットノズル面を、ワイパーブレードによりワイピングするインクジェットプリンタにおいて、
インクヘッドとともに移動し、かつ、メディアに対して紫外線照射面から紫外線を照射する紫外線照射装置と、
前記紫外線照射装置の前記紫外線照射面をワイピングする第１のワイパーブレードと第１の係合部とを備え、前記紫外線照射面に対して移動自在に配設されたワイパー部材と、
前記インクヘッドのインクジェットノズルを形成したインクジェットノズル面をワイピングする第２のワイパーブレードを保持するとともに第２の係合部を設けたワイパーブレード保持部材を備え、前記ワイパーブレード保持部材を移動することにより前記インクヘッドの前記インクジェットノズル面を前記第２のワイパーブレードでワイピングするワイパー装置と
を有し、
前記ワイパー部材の前記第１の係合部と前記ワイパーブレード保持部材の前記第２の係合部とを係合し、前記ワイパー装置による前記ワイパーブレード保持部材の移動により前記ワイパー部材を移動する
ことを特徴とするインクジェットプリンタ。
【請求項４】
前記紫外線照射装置の前記紫外線照射面を被覆する遮蔽面を備えるとともに前記紫外線照射面に対して移動自在に配設され、前記ワイパー部材の前記移動と連動して移動するシャッターを有する
ことを特徴とする請求項３に記載のインクジェットプリンタ。
【請求項５】
前記第１の係合部と前記第２の係合部とは、互いに当接可能な突部である
ことを特徴とする請求項１〜４のいずれか１項に記載のインクジェットプリンタ。
【請求項６】
前記第１の係合部と前記第２の係合部とは、いずれか一方が孔部であり、かつ、他方が前記孔部に嵌合する突部である
ことを特徴とする請求項１〜４のいずれか１項に記載のインクジェットプリンタ。
【発明の詳細な説明】
【技術分野】
【０００１】
本発明は、インクジェットプリンタに関し、さらに詳細には、メディアに対してインクジェット方式により紫外線硬化型のインクを吐出するインクジェットプリンタに関する。
【０００２】
なお、紫外線硬化型のインクとは、紫外線の照射により硬化するインクであり、本明細書においては「紫外線硬化インク」と適宜に称する。
【０００３】
また、本明細書において「メディア」とは、普通紙などの紙類よりなる各種の記録媒体は勿論のこと、ＰＶＣ、ポリエステルなどの樹脂材料やアルミ、鉄、木材のような材料などの各種材料が含まれるものとする。
【０００４】
また、本明細書において「インクジェット方式」とは、二値偏向方式あるいは連続偏向方式などの各種の連続方式や、サーマル方式あるいは圧電素子方式などの各種のオンデマンド方式を含む、従来より公知の各種の手法を用いたインクジェット技術による印刷方法を意味するものとする。
【背景技術】
【０００５】
一般に、マイクロコンピューターによって全体の動作を制御され、メディアに対してインクジェット方式により紫外線硬化インクを吐出して印刷を行うインクジェットプリンタが知られている。こうした紫外線硬化インクを使用するインクジェットプリンタにおいては、紫外線硬化インクに紫外線を照射するための紫外線照射装置が設けられている。
【０００６】
紫外線照射装置を備えたインクジェットプリンタにおいては、紫外線照射装置により照射される紫外線の照射量が低下すると、紫外線硬化インクを硬化するための十分な照度を確保することができず、印刷品質に悪影響を及ぼす恐れがある。
【０００７】
紫外線照射装置により照射される紫外線の照射量は、例えば、インクヘッドのインクジェットノズルからの紫外線硬化インクの吐出により発生するインクミストが紫外線照射装置の紫外線照射面に付着したり、あるいは、インクジェットプリンタを倉庫などで長期間保管した際などに紫外線照射装置の紫外線照射面に塵埃などが付着したりなどすると低下する。
【０００８】
このため、紫外線照射装置を備えたインクジェットプリンタにおいては、従来より紫外線照射装置の紫外線照射面へのインクミストや塵埃などの付着を防止するために、紫外線照射装置の紫外線照射面を覆うシャッターを設けることがあった。
【０００９】
また、紫外線照射装置を備えたインクジェットプリンタにおいては、紫外線照射装置により照射される紫外線の照射量を調整することにより、マット感（光沢感）のある印刷結果とグロス感（つや消し）のある印刷結果とを得ることが行われていた。
【００１０】
例えば、特開２００４−１３２７号公報には、紫外線照射装置の紫外線照射面に開閉自在に移動するシャッターを設け、専用のモーターの作動の制御によりこのシャッターを移動して開閉の度合いを調整することにより、マット感（光沢感）のある印刷結果とグロス感（つや消し）のある印刷結果とを得るようにしたインクジェットプリンタが開示されている。こうした特開２００４−１３２７号公報に開示されたインクジェットプリンタによれば、印刷後にシャッターを移動して紫外線照射装置の紫外線照射面をシャッターで覆うことにより、印刷後に飛散しているインクミストや塵埃などが紫外線照射装置の紫外線照射面に付着することを防止することができる。即ち、特開２００４−１３２７号公報に開示されたインクジェットプリンタは、紫外線照射装置の紫外線照射面を覆うシャッターを移動して開閉の度合いを調整することにより、紫外線照射装置の紫外線照射面へのインクミストや塵埃などの付着を防止したり、マット感（光沢感）やグロス感（つや消し）のある印刷結果を得ることができるものであった。
【００１１】
しかしながら、特開２００４−１３２７号公報に開示されたインクジェットプリンタにおいては、紫外線照射装置の紫外線照射面を覆うシャッターを移動して開閉の度合いを調整するために専用のモーターを設けることが必要であり、モーターという高価な部品をシャッターの移動のためにのみ使用することに伴い製造コストが上昇するという問題点があった。
【００１２】
また、従来のインクジェットプリンタにおいては、紫外線照射装置の紫外線照射面にインクミストや塵埃などが付着すると、紫外線照射装置の紫外線照射面に付着したインクミストや塵埃などを自動的には除去することができないという問題点があった。
【先行技術文献】
【特許文献】
【００１３】
【特許文献１】特開２００４−１３２７号公報
【発明の概要】
【発明が解決しようとする課題】
【００１４】
本発明は、従来の技術における上記したような問題点に鑑みてなされたものであり、その目的とするところは、紫外線照射装置の紫外線照射面を覆うシャッターを移動するためにのみ用いる専用のモーターを設けることなく、紫外線照射装置の紫外線照射面を覆うシャッターの移動を行うことができるようにして、製造コストを抑制したインクジェットプリンタを提供しようとするものである。
【００１５】
また、本発明の目的とするところは、紫外線照射装置の紫外線照射面に付着したインクミストや塵埃などを自動的に除去することができるようにしたインクジェットプリンタを提供しようとするものである。
【課題を解決するための手段】
【００１６】
上記目的を達成するために、本発明は、ワイパーブレードによりインクヘッドにおけるインクジェットノズルを形成したインクジェットノズル面をワイピングするワイパー装置により、紫外線照射装置の紫外線照射面を覆うシャッターの移動を行うようにしたものである。
【００１７】
従って、本発明によれば、紫外線照射装置の紫外線照射面を覆うシャッターの移動のためにのみ用いる専用のモーターを設ける必要がない。
【００１８】
また、上記目的を達成するために、本発明は、ワイパーブレードによりインクヘッドにおけるインクジェットノズルを形成したインクジェットノズル面をワイピングするワイパー装置により、紫外線照射装置の紫外線照射面をワイピングするワイパーブレードを備えたワイパー部材を移動して、紫外線照射装置の紫外線照射面をワイピンするようにしたものである。
【００１９】
従って、本発明によれば、ワイパー部材のワイパーブレードにより紫外線照射装置の紫外線照射面をワイピングすることができ、紫外線照射装置の紫外線照射面に付着したインクミストや塵埃などを自動的に除去することができるようになる。
【００２０】
即ち、本発明は、インクヘッドとともに移動し、かつ、メディアに対して紫外線照射面から紫外線を照射する紫外線照射装置と、上記紫外線照射面の少なくなくと一部を被覆する遮蔽面と第１の係合部とを備え、上記紫外線照射面に対して移動自在に配設されたシャッターと、上記インクヘッドのインクジェットノズルを形成したインクジェットノズル面をワイピングするワイパーブレードを保持するとともに第２の係合部を設けたワイパーブレード保持部材を備え、上記ワイパーブレード保持部材を移動することにより上記インクヘッドの上記インクジェットノズル面を上記ワイパーブレードでワイピングするワイパー装置とを有し、上記シャッターの上記第１の係合部と上記ワイパーブレード保持部材の上記第２の係合部とを係合し、上記ワイパー装置による上記ワイパーブレード保持部材の移動により上記シャッターを移動するようにしたものである。
【００２１】
また、本発明は、上記した本発明において、上記シャッターは、上記紫外線照射面をワイピングするワイパーブレードを備えるようにしたものである。
【００２２】
また、本発明は、メディアに対して紫外線硬化インクを吐出するインクジェットノズルを形成したインクヘッドのインクジェットノズル面を、ワイパーブレードによりワイピングするインクジェットプリンタにおいて、インクヘッドとともに移動し、かつ、メディアに対して紫外線照射面から紫外線を照射する紫外線照射装置と、上記紫外線照射装置の上記紫外線照射面をワイピングする第１のワイパーブレードと第１の係合部とを備え、上記紫外線照射面に対して移動自在に配設されたワイパー部材と、上記インクヘッドのインクジェットノズルを形成したインクジェットノズル面をワイピングする第２のワイパーブレードを保持するとともに第２の係合部を設けたワイパーブレード保持部材を備え、上記ワイパーブレード保持部材を移動することにより上記インクヘッドの上記インクジェットノズル面を上記第２のワイパーブレードでワイピングするワイパー装置とを有し、上記ワイパー部材の上記第１の係合部と上記ワイパーブレード保持部材の上記第２の係合部とを係合し、上記ワイパー装置による上記ワイパーブレード保持部材の移動により上記ワイパー部材を移動するようにしたものである。
【００２３】
また、本発明は、上記した本発明において、さらに、上記紫外線照射装置の上記紫外線照射面を被覆する遮蔽面を備えるとともに上記紫外線照射面に対して移動自在に配設され、上記ワイパー部材の上記移動と連動して移動するシャッターを有するようにしたものである。
【００２４】
また、本発明は、上記した本発明において、上記第１の係合部と上記第２の係合部とは、互いに当接可能な突部であるようにしたものである。
【００２５】
また、本発明は、上記した本発明において、上記第１の係合部と上記第２の係合部とは、いずれか一方が孔部であり、かつ、他方が上記孔部に嵌合する突部であるようにしたものである。
【発明の効果】
【００２６】
本発明は、以上説明したように構成されているので、紫外線照射装置の紫外線照射面を覆うシャッターを移動するためにのみ用いる専用のモーターを設けることなく、紫外線照射装置の紫外線照射面を覆うシャッターの移動を行うことができるようになり、製造コストを抑制することが可能になるという優れた効果を奏するものである。
【００２７】
また、本発明は、以上説明したように構成されているので、紫外線照射装置の紫外線照射面に付着したインクミストや塵埃などを自動的に除去することができるようになるという優れた効果を奏するものである。
【図面の簡単な説明】
【００２８】
【図１】図１は、本発明によるインクジェットプリンタの実施の形態の一例を模式的に示す概略構成斜視説明図である。
【図２】図２（ａ）（ｂ）は、ワイパー装置の構成を模式的にあらわした構成説明図である。図２（ａ）は、上方から見た斜視図である。図２（ｂ）は、下方から見た斜視図であり、インクヘッドのインクジェットノズルとワイパー装置のワイパーブレードとの位置関係を明確に示すために、紫外線照射装置に配設されたシャッターの図示を省略している。
【図３】図３（ａ）（ｂ）は、紫外線照射装置の構成を模式的にあらわした構成説明図である。図３（ａ）（ｂ）は、下方から見た斜視説明図である。図３（ａ）と図３（ｂ）とは、それぞれシャッターが異なる位置にある状態を示す。
【図４】図４（ａ）（ｂ）は、シャッターを副走査方向前方側へ移動する際の動作を示す説明図である。
【図５】図５は、シャッターを副走査方向後方側へ移動する際の動作を示す説明図である。
【図６】図６（ａ）（ｂ）は、紫外線照射装置の紫外線照射面の全領域を開放可能な構成を模式的にあらわした構成説明図である。図６（ａ）は、下方から見た斜視図であり、紫外線照射装置の紫外線照射面の全領域が開放された状態を示す。図６（ｂ）は、下方から見た斜視図であり、紫外線照射装置の紫外線照射面の一部領域が遮蔽された状態を示す。
【図７】図７（ａ）は、シャッターに代えて、ガイド部材のガイド溝にワイパー部材を取り付けた構成を模式的にあらわした構成説明図であり、下方から見た斜視図である。図７（ｂ）は、ワイパー部材の分解斜視図である。
【図８】図８は、ワイパー部材を副走査方向前方側へ移動する際の動作を示す説明図である。
【図９】図９（ａ）（ｂ）は、シャッター（またはワイパー部材）とワイパーブレード保持部材との係合関係の変形例を示す要部概略構成斜視説明図である。
【図１０】図１０は、シャッターとワイパーブレードとを一体化した構成を示す要部概略構成斜視説明図である。
【図１１】図１１（ａ）は、ガイド部材のガイド溝にワイパー部材を取り付けた状態を示す要部概略構成斜視説明図である。図１１（ｂ）は、ガイド部材のガイド溝に対して、ワイパー部材を被覆するようにシャッターを取り付けた状態を示す要部概略構成斜視説明図である。
【図１２】図１２（ａ）（ｂ）は、図１１（ｂ）に示すワイパー部材とシャッターとを副走査方向前方側へ移動する際の動作を示す説明図である。
【発明を実施するための形態】
【００２９】
以下、添付の図面を参照しながら、本発明によるインクジェットプリンタの実施の形態の一例を詳細に説明するものとする。
【００３０】
なお、以下の説明においては、同一あるいは相当するそれぞれ構成についてはそれぞれ同一の符号を用いて示し、その詳細な説明については適宜に省略する。
【００３１】
図１には、本発明によるインクジェットプリンタの実施の形態の一例を模式的に示す概略構成斜視説明図が示されている。
【００３２】
このインクジェットプリンタ１０は、基台部材１２に支持され主走査方向に延長して配設された固定系のベース部材１４を備えている。ベース部材１４の左右両端には側方部材１６Ｌ、１６Ｒが配設され、側方部材１６Ｒ側にはマイクロコンピューター(図示せず。）が搭載された側方ユニット１８が配設されている。
【００３３】
インクジェットプリンタ１０は、左右２つの側方部材１６Ｌ、１６Ｒを連結する中央壁２０を備え、中央壁２０の壁面には主走査方向に延長してガイドレール２２が配設されている。
【００３４】
符号２４は、中央壁２０の壁面に平行して主走査方向に移動自在に配設されたワイヤーである。キャリッジ２６は、ワイヤー２４に固定的に配設されるとともにガイドレール２２に摺動自在に装着されている。キャリッジ２６の内部には、ベース部材１４上に位置するメディアたる記録紙２８と対向するようにしてインクヘッド３０が搭載されている。インクヘッド３０には、記録紙２８と対向する下面側に位置するインクジェットノズル面３０ａに、複数のインクジェットノズルよりなるインクジェットノズル列３０ｂが配設されている。インクジェットノズル列３０ｂは、インクジェットノズル面３０ａにおいて、副走査方向に沿って配置されている。
【００３５】
また、キャリッジ２６の主走査方向左方側には、中空長方体形状を備えた箱状のケース１０２内に紫外線光源として紫外線ランプ（図示せず。）を内蔵した紫外線照射装置１００が配設されている。紫外線照射装置１００のケース１０２の記録紙２８と対向する下面側には開口部が形成されており、その開口部は透明板などにより被覆されて紫外線照射面１０２ａが形成されている。紫外線照射面１０２ａは、インクジェットノズル面３０ａに配置されたインクジェットノズル列３０ｂの副走査方向における配置領域に相当する寸法を備えるようにして、副走査方向に沿って延設されている（図３（ａ）（ｂ）を参照する。）。
【００３６】
インクジェットプリンタ１０の側方ユニット１８内には、印刷終了後などの所定のタイミングでキャリッジ２６が位置する待機位置ＲＰが設けられている。この待機位置ＲＰの下方側には、インクヘッド３０のインクジェットノズル列３０ｂが形成されたインクジェットノズル面３０ａをワイピングするためのワイパーブレード２０２を備えたワイパー装置２００が設けられている（図２（ａ）（ｂ）を参照する。）。ワイパー装置２００は、紫外線照射装置１００が配設されたキャリッジ２６が待機位置ＲＰに停止しているときに、インクヘッド３０のインクジェットノズル列３０ｂが形成されたインクジェットノズル面３０ａをワイパーブレード２０２によりワイピングする。
【００３７】
符号４０は作業者がインクジェットプリンタ１０の動作を制御するための操作子を備えた操作パネルであり、インクジェットプリンタ１０の動作状態を表示するための表示部４０ａが設けられている。
【００３８】
上記したインクジェットプリンタ１０の全体の動作は、側方ユニット１８に搭載されたマイクロコンピューターによって制御される。
【００３９】
また、インクジェットプリンタ１０においては、上記したようにメディアとして記録紙２８を用いるものとする。この記録紙２８は、給紙装置（図示せず。）によってベース部材１４上に供給され、幅方向たる主走査方向において所定の長さを有するとともに、主走査方向と直交する方向、即ち、記録紙２８の長手方向に搬送される。なお、主走査方向と直交する方向、即ち、記録紙２８の搬送方向かつ記録紙２８の長手方向を、本明細書においては「副走査方向」と称している。
【００４０】
このインクジェットプリンタ１０においては、マイクロコンピューターの制御によって、インクヘッド３０により記録紙２８上に印刷が行われるとともに、ワイパー装置２００によってインクヘッド３０のインクジェットノズル面３０ａのワイピングが行われる。
【００４１】
即ち、インクジェットプリンタ１０においては、マイクロコンピューターの制御によって、ワイヤー２４の巻き取りによりワイヤー２４が移動すると、このワイヤー２４の移動に伴って、キャリッジ２６が主走査方向における行き方向（往路）および帰り方向（復路）に往復移動する。これにより、キャリッジ２６に搭載されたインクヘッド３０が、給紙装置によってベース部材１４上に供給された記録紙２８上を主走査方向における行き方向（往路）および帰り方向（復路）に一体的に往復移動し、記録紙２８上に印刷が行われる。
【００４２】
また、インクジェットプリンタ１０においては、マイクロコンピューターの制御によって、印刷終了後などにキャリッジ２６が待機位置ＲＰまで移動して待機位置ＲＰで停止しているときに、ワイパー装置２００が、ワイパーブレード２０２を移動させてインクヘッド３０のインクジェットノズル面３０ａをワイピングする。
【００４３】
さらに、このインクジェットプリンタ１０においては、マイクロコンピューターの制御によって、キャリッジ２６が待機位置ＲＰまで移動して待機位置ＲＰで停止しているときに、ワイパー装置２００がワイパーブレード２０２を保持するワイパーブレード保持部材２０８（後述する。）を移動することにより、紫外線照射装置１００の紫外線照射面１０２ａを遮蔽するシャッター１０４（後述する。）を移動する（図３（ａ）（ｂ）を参照する。）。
【００４４】
ここで、インクジェットプリンタ１０は、紫外線照射装置１００とワイパー装置２００との構成ならびに作用を除いて、従来より公知のインクジェットプリンタの技術を適用することができる。従って、以下の説明においては、紫外線照射装置１００とワイパー装置２００とについてのみ説明するものとし、従来より公知の技術を適用できるその他の構成ならびに作用に関する説明は省略する。
【００４５】
図２（ａ）（ｂ）には、ワイパー装置２００の構成を模式的にあらわした構成説明図が示されている。
【００４６】
ワイパー装置２００は、副走査方向においてインクジェットノズル面３０ａの副走査方向における寸法以上の間隔を開けて対向して配置されるとともに、ベース部材１４に固定される一対の支持部材２０４ａ、２０４ｂを備えている。一対の支持部材２０４ａ、２０４ｂの間には、副走査方向に延設されるとともに、主走査方向に予め設定された間隔を開けて平行に配置された２本のガイドバー２０６ａ、２０６ｂが固定されている。
【００４７】
２本のガイドバー２０６ａ、２０６ｂには、高さ方向に立設されたワイパーブレード保持部材２０８が摺動自在に配置されている。ワイパーブレード保持部材２０８は、主走査方向に延設された板状部材である。ワイパーブレード保持部材２０８の上端部２０８ａには、主走査方向に延設された可撓性を備えたゴム製のワイパーブレード２０２が取り付けられている。ワイパーブレード保持部材２０８の上端部２０８ａにおける主走査方向右方側には、上方に突出したワイパー装置側係合突部２０８ｂが形成されている。なお、ワイパー装置側係合突部２０８ｂは、ワイパーブレード２０２によりインクジェットノズル面３０ａをワイピングする際の障害とならないように寸法設定されている（図２（ｂ）を参照する。）。
【００４８】
一方の支持部材２０４ａにはベースプレート２１０が配設されており、このベースプレート２１０もベース部材１４に固定されている。ベースプレート２１０の上面には、回転軸２１２ａがベースプレート２１０に設けられた孔を貫通するようにして、モーター２１２が設けられている。モーター２１２の回転軸２１２ａには、ベースプレート２１０の下方側においてベルト車２１４が固定されている。他方の支持部材２０４ｂの下方部位には、ベルト車２１６が回転自在に軸支されて配設されている。ベルト車２１４とベルト車２１６とには、伝動ベルト２１８が無端状に巻回されており、モーター２１２が作動して回転軸２１２ａが回転すると、ベルト車２１４とベルト車２１６と間で伝動ベルト２１８が移動する。
【００４９】
ワイパーブレード保持部材２０８の下端部２０８ｃは、伝動ベルト２１８に固定されている。従って、モーター２１２の作動により回転軸２１２ａが回転して伝動ベルト２１８が移動すると、それに伴いワイパーブレード保持部材２０８が２本のガイドバー２０６ａ、２０６ｂに案内されて、一対の支持部材２０４ａ、２０４ｂの間を副走査方向に移動する。
【００５０】
符号２２０は、ワイパーブレード保持部材２０８の原点位置を検出するための原点位置検出装置である。原点位置検出装置２２０としては、例えば、リミットスイッチや光電センサーなどを用いることができる。この原点位置検出装置２２０によりワイパーブレード保持部材２０８の原点位置が検出され、この原点位置を基準として２本のガイドバー２０６ａ、２０６ｂに案内されて移動するワイパーブレード保持部材２０８の位置が設定される。
【００５１】
ワイパー装置２００によりインクヘッド３０のインクジェットノズル面３０ａをワイピングするには、インクジェットノズル面３０ａにワイパーブレード２０２が押し付けられるようにインクヘッド３０を搭載したキャリッジ２６を移動する。それから、モーター２１２を作動させてワイパーブレード保持部材２０８を副走査方向に沿って移動すると、ワイパーブレード２０２が撓みながらインクジェットノズル面３０ａをワイピングする（図２（ｂ）を参照する。）。
【００５２】
なお、上記したワイパー装置２００において、モーター２１２、ベルト車２１４、ベルト車２１６および伝動ベルト２１８を組み合わせてワイパーブレード保持部材２０８を副走査方向に沿って移動する機構については、従来より公知の技術であるのでその詳細な説明は省略する。
【００５３】
図３（ａ）（ｂ）には、紫外線照射装置１００の構成を模式的にあらわした構成説明図が示されている。
【００５４】
紫外線照射装置１００は、中空長方体形状を備えた箱状のケース１０２内に収容された紫外線ランプ（図示せず。）を備えている。ケース１０２の下面には開口部が形成されており、開口部は透明板などにより被覆されて紫外線照射面１０２ａが形成されている。ケース１０２内の紫外線ランプから出射された紫外線は、紫外線照射面１０２ａを透過して記録紙２８に向けて照射される。ケース１０２の副走査方向に延長する一対の側面における紫外線照射面１０２ａの近傍には、副走査方向に延長するガイド部材１０６がそれぞれ設けられている。ガイド部材１０６には、副走査方向に延長するガイド溝１０６ａが形成されている。ガイド部材１０６とガイド溝１０６ａとは、ガイド溝１０６ａの副走査方向に延長する長さが、紫外線照射面１０２ａの副走査方向に延長する長さと略一致するように寸法設定されている。
【００５５】
シャッター１０４は、紫外線照射面１０２ａと平行に配置されて紫外線照射面１０２ａの一部領域を遮蔽して閉鎖する遮蔽面１０４ａと、遮蔽面１０４ａから立設した取付面１０４ｂとを備える。取付面１０４ｂにはガイド溝１０６ａに摺動自在に嵌合する爪部１０４ｃが形成されている。この爪部１０４ｃをガイド溝１０６ａに摺動自在に嵌合することにより、シャッター１０４が紫外線照射面１０２ａに対して摺動自在に取り付けられることになる。
【００５６】
シャッター１０４の遮蔽面１０４ａにおける主走査方向左方側の端部には、主走査方向左方側に突出するシャッター側係合突部１０４ｄが形成されている。
【００５７】
以上の構成において、インクジェットプリンタ１０においては、ワイパー装置２００によりシャッター１０４を移動して、シャッター１０４の被覆面１０４ａにより紫外線照射面１０２ａの任意の箇所を被覆することができる。
【００５８】
即ち、キャリッジ２６を移動して、ワイパーブレード保持部材２０８のワイパー装置側係合突部２０８ｂとシャッター１０４のシャッター側係合突部１０４ｄとを当接させ、ワイパーブレード保持部材２０８を副走査方向に沿って移動することによりシャッター１０４の位置を変更する。
【００５９】
具体的には、図４（ａ）に示すように、ワイパー装置側係合突部２０８ｂの副走査方向前方側端面とシャッター側係合突部１０４ｄの副走査方向後方側の端面とを当接し、モーター２１２の作動により伝動ベルト２１８を介してワイパーブレード保持部材２０８を副走査方向前方側へ移動する。これにより、図４（ｂ）に示すように、シャッター１０４がガイド溝１０６ａに沿って副走査方向前方側に移動され、シャッター１０４の遮蔽面１０４ａが紫外線照射面１０２ａの副走査方向前方側に配置される。
【００６０】
一方、図５に示すように、ワイパー装置側係合突部２０８ｂの副走査方向後方側端面とシャッター側係合突部１０４ｄの副走査方向前方側の端面とを当接し、モーター２１２の作動により伝動ベルト２１８を介してワイパーブレード保持部材２０８を副走査方向後方側へ移動する。これにより、シャッター１０４がガイド溝１０６ａに沿って副走査方向後方側に移動され、シャッター１０４の遮蔽面１０４ａが紫外線照射面１０２ａの副走査方向後方側に配置される。
【００６１】
従って、インクジェットプリンタ１０においては、紫外線照射装置１００の紫外線照射面１０２ａを覆うシャッター１０４を移動するためにのみ用いる専用のモーターを設けることなく、紫外線照射装置１００の紫外線照射面１０２ａを覆うシャッターを移動することができる。このシャッター１０４の移動により、紫外線照射面１０２ａの任意の領域を開放したり閉鎖したりすることが可能になる。
【００６２】
ここで、上記した実施の形態においては、シャッター１０４が常に紫外線照射面１０２ａの一部領域を遮蔽して閉鎖することになるが、これに限られるものではなく、図６（ａ）（ｂ）に示すように構成してもよい。
【００６３】
即ち、ガイド溝１０６ａを形成したガイド部材１０６に代えて、ガイド溝３０６ａを形成したガイド部材３０６を用いる。ガイド部材３０６とガイド溝３０６ａとは、ガイド溝３０６ａの副走査方向に延長する長さが、紫外線照射面１０２ａの副走査方向に延長する長さよりも、少なくともシャッター１０４の遮蔽面１０４ａの副走査方向に延長する長さ分だけ長くなるように寸法設定されている。具体的には、副走査方向後方側においては、ガイド溝３０６ａの端部位置と紫外線照射面１０２ａの端部位置とが一致する。一方、副走査方向前方側においては、ガイド溝３０６ａが、少なくとも紫外線照射面１０２ａの端部位置から遮蔽面１０４ａの副走査方向に延長する長さ分だけ延長した延長領域Ｌを備えるように形成されている。
【００６４】
従って、この構成においては、図６（ａ）に示すように、シャッター１０４の遮蔽面１０４ａがガイド溝３０６の延長領域Ｌに位置する場合には、紫外線照射面１０２ａの全領域がシャッター１０４の遮蔽面１０４ａにより閉鎖されることはなく、紫外線照射面１０２ａの全領域が開放される。一方、図６（ｂ）に示すように、シャッター１０４の遮蔽面１０４ａがガイド溝３０６の延長領域Ｌから副走査方向後方側に移動していくと、紫外線照射面１０２ａの一部の領域がシャッター１０４の遮蔽面１０４ａにより閉鎖される。
【００６５】
また、図６（ａ）（ｂ）に示す構成において、シャッター１０４の遮蔽面１０４ａの寸法を紫外線照射面１０２ａの全領域を遮蔽可能な寸法に設定する。ガイド溝３０６については、副走査方向後方側においては、ガイド溝３０６ａの端部位置と紫外線照射面１０２ａの端部位置とが一致するようにし、副走査方向前方側においては、ガイド溝３０６ａの延長領域Ｌが、少なくとも紫外線照射面１０２ａの端部位置から遮蔽面１０４ａの副走査方向に延長する長さ分だけ延長した長さを備えるように形成する。このように構成すると、シャッター１０４の遮蔽面１０４ａがガイド溝３０６の延長領域Ｌに位置する場合には、紫外線照射面１０２ａの全領域がシャッター１０４の遮蔽面１０４ａにより閉鎖されることはなく、紫外線照射面１０２ａの全領域が開放される。一方、シャッター１０４の遮蔽面１０４ａがガイド溝３０６の延長領域Ｌから副走査方向後方側に移動していくと、紫外線照射面１０２ａの一部の領域がシャッター１０４の遮蔽面１０４ａにより徐々に閉鎖されていき、シャッター１０４がガイド溝３０６の副走査方向後方側の端部まで移動すると、紫外線照射面１０２ａの全領域を閉鎖することができる。
【００６６】
図７（ａ）には、シャッター１０４に代えて、ガイド部材１０６のガイド溝１０６ａにワイパー部材４００を取り付けた構成を模式的にあらわした構成説明図が示されている。また、図７（ｂ）には、ワイパー部材４００の分解斜視図が示されている。
【００６７】
ワイパー部材４００は、本体部４０２と可撓性を備えたゴム製のワイパーブレード４０４とを備えて構成されている。本体部４０２は、紫外線照射面１０２ａと平行に配置されるワイパーブレード取付部４０２ａと、ワイパーブレード取付部４０２ａから立設した取付面４０２ｂとを備える。取付面４０２ｂにはガイド溝１０６ａに摺動自在に嵌合する爪部４０２ｃが形成されている。この爪部４０２ｃをガイド溝１０６ａに摺動自在に嵌合することにより、ワイパー部材４００が紫外線照射面１０２ａに対して摺動自在に取り付けられることになる。本体部４０２のワイパーブレード取付部４０２ａにおける主走査方向左方側の端部には、主走査方向左方側に突出するワイパー部材側係合突部４０２ｄが形成されている。
【００６８】
本体部４０２のワイパーブレード取付部４０２ａには、ワイパーブレード取付用凹部４０２ｅが切り欠かれて形成されている。このワイパーブレード取付部４０２ａのワイパーブレード取付用凹部４０２ｅに、例えば、硬度４０度以上９０度以下のゴム質材料よりなるワイパーブレード４０４が取り付けられる。  なお、ワイパー部材４００は、本体部４０２がガイド部材１０６のガイド溝に嵌合されてケース１０２に取り付けられた際に、ワイパーブレード４０４が弾性変形して紫外線照射面１０２ａに所定の押圧力で押し付けられるように寸法設定されている。
【００６９】
以上の構成において、インクジェットプリンタ１０においては、ワイパー装置２００によりワイパー部材４００を移動して、紫外線照射装置１０２の紫外線照射面１０２ａの任意の箇所をワイピングすることができる。
【００７０】
即ち、キャリッジ２６を移動して、ワイパーブレード保持部材２０８のワイパー装置側係合突部２０８ｂとワイパー部材４００のワイパー部材側係合突部４０２ｄとを当接させ、ワイパーブレード保持部材２０８を副走査方向に沿って移動することによりワイパー部材４００の位置を移動する。
【００７１】
具体的には、図８に示すように、ワイパー装置側係合突部２０８ｂの副走査方向前方側端面とワイパー部材側係合突部４０２ｄの副走査方向後方側の端面とを当接し、モーター２１２の作動により伝動ベルト２１８を介してワイパーブレード保持部材２０８を副走査方向前方側へ移動する。これにより、ワイパー部材４００がガイド溝１０６ａに沿って副走査方向前方側に移動され、紫外線照射装置１０２の紫外線照射面１０２ａをワイパーブレード４０４によってワイピングしてクリーニングすることができる。また、ワイパー装置側係合突部２０８ｂの副走査方向後方側端面とワイパー部材側係合突部４０２ｄの副走査方向前方側の端面とを当接し、モーター２１２の作動により伝動ベルト２１８を介してワイパーブレード保持部材２０８を副走査方向後方側へ移動する。これにより、ワイパー部材４００がガイド溝１０６ａに沿って副走査方向後方側に移動され、紫外線照射装置１０２の紫外線照射面１０２ａをワイパーブレード４０４によってワイピングしてクリーニングすることができる。
【００７２】
従って、インクジェットプリンタ１０においては、紫外線照射装置１００の紫外線照射面１０２ａをワイパー部材４００のワイパーブレード４０４によりワイピングすることができ、紫外線照射装置１０２の紫外線照射面１０２ａに付着したインクミストや塵埃などを自動的に除去することができる。
【００７３】
なお、上記した実施の形態は例示に過ぎないものであり、本発明は他の種々の形態で実施することができる。即ち、本発明は、上記した実施の形態に限定されるものではなく、本発明の要旨を逸脱しない範囲で種々の省略、置き換え、変更を行うことができる。
【００７４】
例えば、上記した実施の形態は、以下の（１）乃至（７）に示すように変形するようにしてもよい。
【００７５】
（１）上記した実施の形態においては、ワイパー装置２００のワイパー装置側係合突部２０８ｂとシャッター１０４のシャッター側係合突部１０４ｄ（またはワイパー部材４０のワイパー部材側係合突部４０２ｄ）とを当接することにより、ワイパー装置側係合突部２０８ｂとシャッター側係合突部１０４ｄ（またはワイパー部材側係合突部４０２ｄ）とを係合し、シャッター１０４（またはワイパー部材４００）を副走査方向に移動するようにしたが、これに限られるものではないことは勿論である。
【００７６】
例えば、図９（ａ）（ｂ）に示すように構成してもよい。即ち、シャッター側係合突部１０４ｄ（またはワイパー部材側係合突部４０２ｄ）に代えて、シャッター１０４の取付面１０４ｂ（またはワイパー部材４００の取付面４０２ｂ）に孔部５０２を穿設する。ワイパーブレード保持部材２０８の上端部２０８ａには、孔部５０２に嵌合可能な突部５０４を形成する。ワイパー装置側係合突部２０８ｂとシャッター側係合突部１０４ｄ（またはワイパー部材側係合突部４０２ｄ）とを係合する際には、突部５０４を孔部５０２に嵌合して両者を係合する。なお、孔部５０２と突部５０４とを配置する位置関係は入れ換えてもよいことは勿論である。即ち、ワイパーブレード保持部材２０８の上端部２０８ａに孔部を設け、シャッター１０４の取付面１０４ｂ（またはワイパー部材４００の取付面４０２ｂ）に孔部と嵌合可能な突部を設けるようにしてもよい。
【００７７】
また、ワイパー装置側係合突部２０８ｂ、シャッター側係合突部１０４ｄあるいはワイパー部材側係合突部４０２ｄの形状は、図示した形状に限定されるものではなく、設計条件などに応じて適宜の形状を選択すればよい。
【００７８】
さらに、ワイパー装置側係合突部２０８ｂ、シャッター側係合突部１０４ｄ、ワイパー部材側係合突部４０２ｄ、孔部５０２あるいは突部５０４を永久磁石により構成し、磁力によっても結合することができるようにしてもよい。
【００７９】
（２）上記した実施の形態においては、シャッター１０４とワイパー部材４００とを別個独立して別々に用いるように構成したが、これに限られるものではないことは勿論である。
【００８０】
例えば、図１０に示すように、シャッター１０４の遮蔽面１０４ａに、紫外線照射装置１０２の紫外線照射面１０２ａと当接するようにゴム製のワイパーブレード５０６を配設して、シャッター１０４にワイパーブレード５０６を一体的に取り付ける。この構成によれば、シャッター１０４の移動に伴い、ワイパーブレード５０６により紫外線照射装置１０２の紫外線照射面１０２ａをワイピングすることができる。
【００８１】
（３）上記した実施の形態においては、シャッター１０４とワイパー部材４００とを別個独立して別々に用いるように構成したが、これに限られるものではないことは勿論であり、両者を同時に用いるようにしてもよい。
【００８２】
例えば、図１１（ａ）に示すように、まず、ガイド部材１０６のガイド溝１０６ｂにワイパー部材４００を取り付ける。次に、図１１（ｂ）に示すように、ガイド部材１０６のガイド溝１０６ｂに対して、ワイパー部材４００を被覆するようにシャッター６００を取り付ける。シャッター６００は、シャッター１０４とほぼ同様な構成を備えているが、シャッター側係合突部１０４ｄが形成されていない点と、取付面１０４ｂが切り欠かれて窓部６０２が形成されている点において異なる。シャッター６００の窓部６０２からは、ワイパー部材側係合突部４０２ｄが突出されるように寸法設定されている。
【００８３】
従って、この構成によれば、図１２（ａ）（ｂ）に示すように、ワイパー装置側係合突部２０８ｂとワイパー部材側係合突部４０２ｄとが当接することにより、ワイパー部材４００が副走査方向に移動し、このワイパー部材４００の副走査方向への移動に連動して、シャッター６００も副走査方向に移動する。
【００８４】
（４）上記した実施の形態においては、ワイパー装置２００は、モーター２１２、ベルト車２１４、ベルト車２１６および伝動ベルト２１８の組み合わせによりワイパーブレード保持部材２０８を移動するようにしたが、これに限られるものではないことは勿論である。ワイパーブレード保持部材２０８を移動するための構成としては、例えば、ギア機構や送りネジ機構などのような従来より公知の各種の機構を用いることができる。
【００８５】
（５）上記した実施の形態においては、原点位置検出装置２２０によりにワイパーブレード保持部材２０８の原点位置を検出するようにしたが、これに限られるものではないことは勿論である。ワイパーブレード保持部材２０８の原点位置を検出するにあたっては、原点位置検出装置２２０に代えて、モーター２１２の脱調、伝動ベルト２１８の滑り、モーター２１２の電流検出などの技術を用いて原点位置の検出をしてもよい。
【００８６】
（６）上記した実施の形態においては、ワイパー装置２００のワイパーブレード２０２、ワイパー部材４００のワイパーブレード４０４、シャッター１０４に取り付けられたワイパーブレード５０６についてはゴム製の材質を用いるものとしたが、これに限られるものではないことは勿論である。ゴムに代えて、インクヘッドノズル面３０ａや紫外線照射面１０２ａを傷つけない程度の柔軟な多孔質部材を用い、拭き取ったインクミストや塵埃などを多孔質部材内に保持するようにしてもよい。
【００８７】
（７）上記した実施の形態ならびに上記した（１）乃至（６）に示す各種の変形例は、適宜に組み合わせるようにしてもよい。
【産業上の利用可能性】
【００８８】
本発明は、インクヘッドからインクジェット方式により紫外線硬化インクを吐出して所定の印刷を行うインクジェットプリンタに用いて好適である。
【符号の説明】
【００８９】
１０  インクジェットプリンタ、１２  基台部材、１４  ベース部材、１６Ｌ  側方部材、１６Ｒ  側方部材、１８  側方ユニット、２０  中央壁、２２  ガイドレール、２４  ワイヤー、２６  キャリッジ、２８  記録紙、３０  インクヘッド、３０ａ  インクジェットノズル面、３０ｂ  インクジェットノズル列、４０  操作パネル、４０ａ  表示部、１００  紫外線照射装置、１０２  ケース、１０２ａ  紫外線照射面、１０４  シャッター、１０４ａ  遮蔽面、１０４ｂ  取付面、１０４ｃ  爪部、１０４ｄ  シャッター側係合突部（第１の係合部）、１０６  ガイド部材、１０６ａ  ガイド溝、２００  ワイパー装置、２０２  ワイパーブレード（第２のワイパーブレード）、２０４ａ  支持部材、２０４ｂ  支持部材、２０６ａ  ガイドバー、２０６ｂ  ガイドバー、２０８  ワイパーブレード保持部材、２０８ａ  上端部、２０８ｂ  ワイパー装置側係合端部（第２の係合部）、２０８ｃ  下端部、２１０  ベースプレート、２１２  モーター、２１２ａ  回転軸、２１４  ベルト車、２１６  ベルト車、２１８  伝動ベルト、２２０  原点位置検出装置、３０６  ガイド部材、３０６ａ  ガイド溝、４００  ワイパー部材、４０２  本体部、４０４  ワイパーブレード（第１のワイパーブレード）、４０２ａ  ワイパーブレード取付部、４０２ｂ  取付面、４０２ｃ  爪部、４０２ｄ  ワイパー部材側係合突部（第１の係合部）、４０２ｅ  ワイパーブレード取付用凹部、５０２  孔部、５０４  突部、５０６  ワイパーブレード、６００  シャッター、６０２  窓部、ＲＰ  待機位置、Ｌ  延長領域
【図１】
2018094833.tif 000003
【図２】
2018094833.tif 000004
【図３】
2018094833.tif 000005
【図４】
2018094833.tif 000006
【図５】
2018094833.tif 000007
【図６】
2018094833.tif 000008
【図７】
2018094833.tif 000009
【図８】
2018094833.tif 000010
【図９】
2018094833.tif 000011
【図１０】
2018094833.tif 000012
【図１１】
2018094833.tif 000013
【図１２】
2018094833.tif 000014